(57)【要約】【課題】簡潔な構造で部品を取付けることができるとともに、部品の振動による異音の発生を抑制した乗物用シートを提供する。【解決手段】基板５０に設けられた立壁部５２ｂ２及び左係止部５５ｂをバックフレーム２０Ｆに設けられた係止ワイヤ２４に係止することによって基板５０がバックフレーム２０Ｆに取付けられている。係止ワイヤ２４はバックフレーム２０Ｆに固定された線状部材である。立壁部５２ｂ２及び左係止部５５ｂは係止ワイヤ２４を挿入できる断面が略Ｕ字形の頂面部５２ｂ２１と押壁部５５ｂ２を有する。頂面部５２ｂ２１と押壁部５５ｂ２とは、開口側において近接して開口側と反対側において離隔するように形成されている。係止ワイヤ２４は頂面部５２ｂ２１と押壁部５５ｂ２の間に配置されたとき、頂面部５２ｂ２１と押壁部５５ｂ２が押圧状態で当接するように形成されている。【選択図】図９
2018001819.tif 000002
【特許請求の範囲】
【請求項１】
乗物用シートであって、
部品に設けられた係止部をシートフレームに設けられた被係止部に係止することによって前記部品が前記シートフレームに取付けられており、
前記被係止部は前記シートフレームに固定された線状部材であり、前記係止部は前記被係止部を挿入できる断面が略Ｕ字形の挟持壁を有し、
該挟持壁は対向する一対の側壁部と前記挟持壁の開口側と反対側に位置する底壁部とを有し、
前記一対の側壁部は前記開口側において近接して前記底壁部側において離隔するように形成され、
前記挟持壁の前記側壁部間に前記被係止部が配置されたとき前記側壁部は前記被係止部に対して押圧状態で当接するように形成されている乗物用シート。
【請求項２】
請求項１において、前記係止部は前記挟持壁の前記一対の側壁部のそれぞれを１つずつ有する２つの部材から形成されている乗物用シート。
【請求項３】
請求項２において、前記係止部を形成する前記２つの部材のうち、一の部材は前記部品の本体に一体で形成されており、他の部材は前記部品の本体に取付けられている乗物用シート。
【請求項４】
請求項３において、前記係止部は複数設けられており、少なくとも１つの前記係止部における前記他の部材は、他の前記係止部における前記他の部材より高強度高剛性に形成されている乗物用シート。
【請求項５】
請求項１ないし請求項４のいずれか１項において、前記部品は、前記乗物用シートの外観構成部品である乗物用シート。
【発明の詳細な説明】
【技術分野】
【０００１】
本発明は、乗物用シートに関する。
【背景技術】
【０００２】
シートバックボード等の外観構成部品がシートフレームに取付けられている乗物用シートがある。特許文献１に記載される自動車用シートにおいては、シートバックボードの上部に設けられた第１の係止部と、下部に設けられた第２の係止部とが、それぞれ、シートバックフレームの上部に設けられた第１の被係止部と、下部に設けられた第２の被係止部と、に係止されている。ここで、シートバックボードは樹脂製で、第１の係止部はシートバックボード本体のシート着座面側に一体形成されて断面が下方に開口する略逆Ｕ字状のフック状の形態をしており、一対の挟持面と開口する側の反対側に位置する上面とを有する。第２の係止部はシートバックボード本体のシート着座面側に一体形成されたシート着座面方向に突出して延びるツメ状の形態をしている。また、第１の被係止部はシートバックフレームにおいて車両の左右方向に延びる横断面が円形のワイヤであり、第２の被係止部はシートバックフレームに設けられた孔である。第１の係止部のフック状形態部を第１の被係止部であるワイヤに係止することによって、シートバックボードのシートフレームに対する前後方向の動きが止められる。また、第２の係止部のツメを第２の被係止部の孔に係止することによってシートバックボードのシートフレームに対するの上下左右方向の動きが止められる。
【先行技術文献】
【特許文献】
【０００３】
【特許文献１】特開２０１５−７４２７６号公報
【発明の概要】
【発明が解決しようとする課題】
【０００４】
特許文献１に開示される自動車用シートにおいては、シートフレームに対するシートバックボードの取付け作業性が良好であるという利点がある。しかし、第１の係止部のフック状形態部は、第１の被係止部であるワイヤに係止するために、ワイヤと一対の挟持面との間にスキを設けておく必要があり、これに起因して走行時の振動による前後方向のがたつきにより異音が発生するおそれがあった。また、第１の係止部のフック状部は、第１の被係止部であるワイヤに係止されたとき、上下方向の移動規制はできず第２の係止部のツメを第２の被係止部の孔に係止させることによって上下方向の移動規制を行っている。そして、第２の係止部のツメと第２の被係止部の孔の周縁部との間にも係止をスムーズに行わせるために若干のスキが設けられている。これによって、走行時の振動による上下方向のがたつきにより異音が発生するおそれがあった。
【０００５】
このような要請に鑑み本発明の課題は、簡潔な構造で部品を取付けることができるとともに、部品の振動による異音の発生を抑制した乗物用シートを提供することにある。
【課題を解決するための手段】
【０００６】
本発明の第１発明は、乗物用シートであって、部品に設けられた係止部をシートフレームに設けられた被係止部に係止することによって前記部品が前記シートフレームに取付けられており、前記被係止部は前記シートフレームに固定された線状部材であり、前記係止部は前記被係止部を挿入できる断面が略Ｕ字形の挟持壁を有し、該挟持壁は対向する一対の側壁部と前記挟持壁の開口側と反対側に位置する底壁部とを有し、前記一対の側壁部は前記開口側において近接して前記底壁部側において離隔するように形成され、前記挟持壁の前記側壁部間に前記被係止部が配置されたとき前記側壁部は前記被係止部に対して押圧状態で当接するように形成されていることを特徴とする。
【０００７】
第１発明によれば、部品に設けられた係止部をシートフレームに設けられた被係止部に係止したとき、係止部における挟持壁の側壁部は、被係止部である線状部材に対して押圧状態で当接する。また、挟持壁の側壁部の開口側は底壁部側より近接して形成されているので線状部材が開口側へ移動しようとすると側壁部による押圧力が増加し、その結果係止部が開口側へ移動しにくくなる。さらに、線状部材が底壁部側へ移動しようとすると底壁部に当接して移動が止められる。これによって、係止部が被係止部に対して挟持壁の側壁部と垂直な方向と平行な方向の２方向に移動するのが抑制され、係止部が被係止部に対して常に押圧状態で当接して係止部が被係止部に対してがたついて異音を発生するおそれが減少する。
【０００８】
本発明の第２発明は、上記第１発明において、前記係止部は前記挟持壁の前記一対の側壁部のそれぞれを１つずつ有する２つの部材から形成されていることを特徴とする。
【０００９】
第２発明によれば、挟持壁の一対の側壁部においてより強い力が印加される側の側壁部を他の側壁部より高強度高剛性にすることができ、必要な強度剛性に応じた合理的な構造とすることができる。また、一対の側壁部間の間隔が底壁部側より開口側が狭い、いわゆるアンダーカット部分を有する係止部の形成が容易となる。
【００１０】
本発明の第３発明は、上記第２発明において、前記係止部を形成する前記２つの部材のうち、一の部材は前記部品の本体に一体で形成されており、他の部材は前記部品の本体に取付けられていることを特徴とする。
【００１１】
第３発明によれば、係止部を形成するのに一の部材は部品の本体に一体で形成されているので、他の部材を部品の本体に取付けるだけでよく部品点数の増加を抑制できる。
【００１２】
本発明の第４発明は、上記第３発明において、前記係止部は複数設けられており、少なくとも１つの前記係止部における前記他の部材は、他の前記係止部における前記他の部材より高強度高剛性に形成されていることを特徴とする。
【００１３】
第４発明によれば、部品のシートフレームに設けられた被係止部に対する係止強度剛性を部分的に変更することができ、強度を高めたい部分にのみ高強度高剛性な他の部材を用いればよいので構造の合理化が図られる。
【００１４】
本発明の第５発明は、上記第１発明から上記第４発明のいずれかにおいて、前記部品は、前記乗物用シートの外観構成部品であることを特徴とする。
【００１５】
第５発明によれば、乗物用シートのシートフレームに外観構成部品が簡潔な構造でがたによる異音の発生を抑制して取付けられる。
【図面の簡単な説明】
【００１６】
【図１】本発明の一実施形態の自動車用シートを斜め前方から見た斜視図である。ヘッドレストは省かれている。
【図２】上記実施形態の自動車用シートのシートバックを斜め前方から見た分解斜視図である。バックカバーは省かれている。
【図３】上記実施形態の自動車用シートのシートバックを斜め後方から見た分解斜視図である。バックカバーは省かれている。
【図４】上記実施形態のシートバックのメインバックパッドを斜め後方から見た分解斜視図である。
【図５】上記実施形態のメインバックパッドの基材を右下方から見た斜視図である。
【図６】上記実施形態のメインバックパッドの基材を左下方から見た斜視図である。
【図７】上記実施形態の基材をバックフレームに取付けた状態を示す正面図である。
【図８】図７のＶＩＩＩ−ＶＩＩＩ矢視線断面図である。
【図９】図７のＩＸ−ＩＸ矢視線断面図である。
【図１０】上記実施形態の基材をバックフレームに取付けた状態を示す上面図である。
【発明を実施するための形態】
【００１７】
図１〜図１０に、本発明の一実施形態を示す。この実施形態は、自動車用シートに本発明を適用した例である。各図中、矢印により自動車用シートを自動車に取付けたときの自動車及び自動車用シートの各方向を示している。以下の説明において、方向に関する記述は、この方向を基準として行うものとする。本実施形態の自動車用シート１は、着座部となるシートクッション１０と、背凭れとなるシートバック２０と、頭部を支持するヘッドレストを備えている。ヘッドレストは各図において省略している。
【００１８】
図１に示すように、シートクッション１０は、骨格を成すクッションフレーム１０Ｆと、クッションフレーム１０Ｆ上に載置されるクッション材であるクッションパッド１０Ｐと、クッションパッド１０Ｐの上から被せ付けられる表皮材であるクッションカバー１０Ｃと、を備えている。また、シートバック２０は、骨格を成すバックフレーム２０Ｆと、バックフレーム２０Ｆ上に載置されるクッション材であるバックパッド２０Ｐと、バックパッド２０Ｐの上から被せ付けられる表皮材であるバックカバー２０Ｃと、を備えている。シートクッション１０、ヘッドレストについては、公知の構成のものであるので説明を省略し、シートバック２０について説明していく。ここで、自動車用シート１、バックフレーム２０Ｆが、それぞれ、特許請求の範囲の「乗物用シート」、「シートフレーム」に相当する。
【００１９】
図２及び図３に示すように、シートバック２０のバックフレーム２０Ｆは、鉄製で、上下方向に延びる左右一対のサイドフレーム２１と、各サイドフレーム２１の上端部側間を連結するアッパフレーム２２と、各サイドフレーム２１の下端部側間を連結するロアパネル２３と、を備え正面視略矩形状に形成されている。サイドフレーム２１は横断面がシート内側方向に開口した略Ｕ字状のプレス成形部材であり、下端部側に補強部材２１ａが取付けられている。サイドフレーム２１の上端部側後面間には、後述するメインバックパッド４０の基板５０をバックフレーム２０Ｆに取付けるための横断面が円形の係止ワイヤ２４が左右方向に延びて配設されている。また、各サイドフレーム２１の上端部側と下端部側間にはバックカバー２０Ｃの端部を係止するための横断面が円形のカバー係止ワイヤ２５が上下方向に延びて配設されている。アッパフレーム２２は横断面がシート後側方向に開口した略Ｕ字状のプレス成形部材である。アッパフレーム２２の上面部の上面には、メインバックパッド４０の基板５０をバックフレーム２０Ｆに取付けるための基板取付部材２２ａが取付けられている。基板取付部材２２ａは、プレス成形部材で左右両端部側が稜線が前後方向に延びる山形部２２ａ１が形成され、山形部２２ａ１のシート内側斜面にボルト孔２２ａ２が前後方向に２つ並んで設けられている。また、山形部２２ａ１のシート外側斜面の端部側にはクリップ孔２２ａ３が設けられている。基板取付部材２２ａの後側の左右方向中央部には上下方向に貫通するボルト孔２２ａ４が設けられている。さらに、ボルト孔２２ａ２のシート内側には位置決めピン孔２２ａ５が設けられている。アッパフレーム２２の上面部及び基板取付部材２２ａと、下面部と、の間にはそれぞれを貫通して上下方向に延びる一対のホルダ２６が左右対称位置に配設されている。ホルダ２６は、角筒状の部材でその内筒部にヘッドレストサポートが挿入されて支持されるものである。ロアパネル２３は横断面が略Ｌ字状のプレス成形部材である。バックフレーム２０Ｆには、そのほかに、クッションフレーム１０Ｆに対して傾き角度を調節するリクライナやバックパッド２０Ｐを支持するためのワイヤ等が取付けられているが本発明とは直接関係しない部材なので図示及び説明を省略する。ここで、係止ワイヤ２４が、特許請求の範囲の「被係止部」に相当する。
【００２０】
図２及び図３に示すように、バックパッド２０Ｐは主として着座乗員の身体側部を支持するサイドバックパッド３０と、主として着座乗員の身体背部を支持するメインバックパッド４０と、を有する。サイドバックパッド３０は、発泡ウレタン樹脂製で左右一対の土手部３１の上端部側をアッパ部３２で連結した正面視で略逆Ｕ字状をしている。バックフレーム２０Ｆには各サイドフレーム２１を各土手部３１が覆うように取付けられる。メインバックパッド４０は、発泡ウレタン樹脂製で前掛け状の形状に形成されており、前面部４１と、後面部４２と、前面部４１及び後面部４２を連結する左右一対の連結部４３と、を有する。前面部４１は、サイドバックパッド３０の左右一対の土手部３１に挟まれた空間に嵌り込む形状とされている。後面部４２は、バックフレーム２０Ｆの上部後面部を覆う形状とされている。左右一対の連結部４３は前面部４１の上端部と後面部４２の上端部を左右で連結して左右方向中央部にヘッドレストが配置される開口部４４が形成される。後面部４２の左端部側には、後述する基板５０の開口５２ａに対応する貫通孔４５が形成されている。ここで、メインバックパッド４０が、特許請求の範囲の「部品、外観構成部品」に相当する。
【００２１】
図４に示すように、メインバックパッド４０の後面部４２の前面側から連結部４３の下面部側にかけて樹脂製の部品である基板５０が配設されている。基板５０は、ポリプロピレン樹脂のインジェクション成形によって形成された本体部５１と、本体部５１の左側に取付けられたレバー装置部５４と、本体部５１の右側に取付けられた蓋部材５８及び係止部材５９と、を有する。
【００２２】
図４〜図６に示すように、基板５０の本体部５１は、メインバックパッド４０の後面部４２前面側に当接する後壁部５２と、メインバックパッド４０の左右の連結部４３下面側にそれぞれ当接する一対の上壁部５３と、を有する。後壁部５２の左側端部から左側の連結部４３の下側端部に跨って背面視で略矩形状の開口５２ａが形成されている。詳しくは、開口５２ａは矩形の長辺方向をメインバックパッド４０の左右方向中心面に対し約４５度左に傾けた配置とされ、矩形の長辺のほぼ中央部に開口５２ａの内側に向かって突出する一対の突出部５２ｂを有する。突出部５２ｂの付け根部分の上側には、後述するレバー装置部５４のベースプレート５５の中爪部５５ａを挿入して係止するための係止孔５２ｂ１が設けられている。係止孔５２ｂ１の若干下方にはビス孔５２ｂ４が設けられている。開口５２ａの左下のコーナ部には下方に向って切り欠き５２ａ１が設けられて切り欠き５２ａ１の下側の後壁部５２の前側の面には互いに平行に上下方向に延びる３本の立壁部５２ｂ２が形成されている。立壁部５２ｂ２は、その頂面部５２ｂ２１（図９参照）が後述するレバー装置部５４のベースプレート５５の左係止部５５ｂと対向して係止部の一つを構成するものである。切り欠き５２ａ１と左係止部５５ｂの左右方向の幅は、ほぼ同じに形成されている。さらに、開口５２ａの上側短辺の上方には、後述するレバー装置部５４のベースプレート５５の一対の上爪部５５ｄを挿入して係止するための一対の係止孔５２ｂ３が設けられている。後壁部５２の右側端部から右側の連結部４３の下側端部に跨って背面視で略矩形状の開口５２ｃが形成されている。開口５２ｃ及びその周縁の後壁部５２の構造は、本体部５１の左右方向中心面に関し開口５２ａ及びその周縁と面対称の関係にあるので説明を省略する。これによって、本体部５１の開口５２ａと開口５２ｃに対し、それぞれ、レバー装置部５４と、蓋部材５８及び係止部材５９と、が選択的に取付けられるようになっている。後壁部５２の前面側の左右方向中央上部にはアッパフレーム２２に対してボルト締結するためのボルトを通すボルト孔５２ｄ１が上下方向に貫通して設けられたボルト締結立片５２ｄが前方に向って立設されている。
【００２３】
図４〜図６、図１０に示すように、本体部５１の上壁部５３にはその下面側に前後方向に延びる３本のリブが互いに略平行に形成されている。シート内側から外側に向かってリブ５３ａ、リブ５３ｂ、リブ５３ｃの３本である。リブ５３ａ、リブ５３ｂ、リブ５３ｃの前端部同士は左右方向に延びるリブ５３ｄで連結され、リブ５３ａ、リブ５３ｂ、リブ５３ｃの後端部同士は左右方向に延びるリブ５３ｅで連結されている。リブ５３ａは、途中から本体部５１の左右方向中央方向に屈曲して延び、この屈曲した面部にボルト孔５３ａ１が前後方向に２つ並んで設けられている。さらに、リブ５３ａの下端部には位置決めピンＰを取付けるためのピン係止部５３ａ２が形成されている。リブ５３ｃの前後方向中央部には、クリップ６０を取付けるためのクリップ座５３ｃ１が設けられている。クリップ６０は、台座６１と、台座６１から一体的に形成されアッパフレーム２２の基板取付部材２２ａに設けられたクリップ孔２２ａ３に挿入して係止可能な係止脚６２と、から形成された樹脂製の公知のクリップである。クリップ座５３ｃ１には、クリップ６０の台座６１を取付け可能な取付孔が設けられている。クリップ６０がクリップ座５３ｃ１に取付けられた後、上壁部５３のクリップ座５３ｃ１と反対側の上側の面にはクリップ座５３ｃ１による凹みを覆って表面を滑らかにするための蓋部材６３が取付けられている。
【００２４】
図４〜図１０に示すように、レバー装置部５４は、鋼板プレス成形部材であるベースプレート５５と、樹脂製のベゼル５６と、レバー装置５７と、を有する。ベースプレート５５は、背面視で略矩形状をしており、矩形の長辺のほぼ中央部に長辺と平行に上方に向かって延びる中爪部５５ａが形成され、上側短辺の上方に一対の上爪部５５ｄが形成されている。中爪部５５ａとベースプレート５５本体との間にはビス孔５５ａ１が形成されている。また、ベースプレート５５の左下のコーナ部には背面視で略矩形状の左係止部５５ｂが形成され、右下のコーナ部には背面視で略矩形状の右係止部５５ｃが形成されている。左係止部５５ｂは、図９に示すように、ベースプレート５５本体に対して鈍角をなして前方に向って立ち上がる立壁部５５ｂ１と、立壁部５５ｂ１の先端部からベースプレート５５本体と平行に下方に向って延びる押壁部５５ｂ２と、を有する。さらに、左係止部５５ｂは、押壁部５５ｂ２の先端部から立壁部５５ｂ１と平行に前方に向って延びる案内壁部５５ｂ３と、を有する。押壁部５５ｂ２は、ベースプレート５５が基板５０の本体部５１に対して取付けられたとき、本体部５１の立壁部５２ｂ２との間に係止ワイヤ２４を挟みつけて保持する部分である。立壁部５２ｂ２の頂面部５２ｂ２１は、上端部において押壁部５５ｂ２との間隔が最小の第１部分５２ｂ２１１と、第１部分５２ｂ２１１から滑らかに繋がる間隔が最大の第２部分５２ｂ２１２と、第２部分５２ｂ２１２から滑らかに繋がる間隔が中程度の第３部分５２ｂ２１３と、を有する。第３部分５２ｂ２１３は、立壁部５２ｂ２の頂面部５２ｂ２１の下端部に位置している。すなわち、押壁部５５ｂ２が立壁部５２ｂ２との間に係止ワイヤ２４を挟みつけて保持したとき、係止ワイヤ２４は第２部分５２ｂ２１２より上方には行かないようになっている。そして、係止ワイヤ２４の位置が第２部分５２ｂ２１２から第３部分５２ｂ２１３に行くにつれて押壁部５５ｂ２と立壁部５２ｂ２からの係止ワイヤ２４に対する押圧力が高まるようになっている。なお、係止ワイヤ２４が第２部分５２ｂ２１２に位置している場合でも押壁部５５ｂ２と立壁部５２ｂ２からの係止ワイヤ２４に対する押圧力はゼロにはならないようになっている。案内壁部５５ｂ３は、係止ワイヤ２４を押壁部５５ｂ２と立壁部５２ｂ２の間にガイドする機能を果たす部分である。右係止部５５ｃは、左係止部５５ｂに対して、ベースプレート５５に垂直で短辺の二等分点を通る面に関して面対称の関係にある。これは、ベースプレート５５を本体部５１の右側の開口５２ｃに取付けたとき右係止部５５ｃが右側の立壁部５２ｂ２との間で同様の機能を果たすように構成したものである。さらに、ベースプレート５５のほぼ中央部にはレバー装置５７のレバー５７ａのシートバック２０内部に配設された操作ワイヤ（図示せず）との連結部を通すための開口部５５ｅが設けられている。ベースプレート５５の下端部側には、上方に一対のビス孔５５ｆが、下方に一対のビス孔５５ｇが，それぞれ短辺の垂直二等分線に関して対称な位置に設けられている。ここで、立壁部５２ｂ２と左係止部５５ｂが、特許請求の範囲の「係止部」に相当する。また、押壁部５５ｂ２と第２部分５２ｂ２１２から第３部分５２ｂ２１３に繋がる部分のそれぞれが、特許請求の範囲の「側壁部」に相当し、押壁部５５ｂ２と第２部分５２ｂ２１２から第３部分５２ｂ２１３を合わせて、特許請求の範囲の「挟持壁」に相当する。さらに、第１部分５２ｂ２１１から第２部分５２ｂ２１２に繋がる部分が、特許請求の範囲の「底壁部」に相当する。
【００２５】
図４、図９、図１０に示すように、ベゼル５６は背面視で矩形状をしており、中央に凹部５６ａを有している。凹部５６ａには、矩形の開口部５６ｂが設けられ、開口部５６ｂ周縁の長辺部には内側に向かって突出する突出部５６ｃが設けられて、突出部５６ｃにはビス孔５６ｃ１が形成されている。開口部５６ｂ周縁の下方短辺部には一対のビス孔５６ｄが短辺の垂直二等分線に関して対称な位置に設けられている。レバー装置５７は、レバー５７ａとケース部材５７ｂとを有し、レバー５７ａはケース部材５７ｂに対して上下方向に回動可能に軸支されている。レバー５７ａをケース部材５７ｂに対して回動させることによりシートバック２０内部に配設された操作ワイヤ（図示せず）を牽引してロック部材（図示せず）等の操作ができるようになっている。
【００２６】
図４〜図８に示すように、蓋部材５８は背面視で略矩形状をしており、その長辺部中央の両端部近傍に一対のビス孔５８ａと、その下側短辺部近傍であって短辺の垂直二等分線に関して対称な位置に一対のビス孔５８ｂと、が設けられている。係止部材５９は、樹脂製の一体成形部材で、ベース部５９ａと、係止壁部５９ｂと、を有する。ベース部５９ａは右側の開口５２ｃの切り欠き５２ａ１に対し、上方から嵌め込んだとき切り欠き５２ａ１の周縁部を前後から挟みつけて取付けられるようになっている。ベース部５９ａの上端部側には蓋部材５８の右側のビス孔５８ｂに対してビス固定するためのビスを通すビス孔５９ａ１が設けられている。図８に示すように、係止壁部５９ｂは、ベース部５９ａの蓋部材５８とのビス締結面部に対して鈍角をなして前方に向って立ち上がる立壁部５９ｂ１を有する。また、係止壁部５９ｂは、立壁部５９ｂ１の先端部からベース部５９ａの蓋部材５８とのビス締結面部と平行に下方に向って延びる押壁部５９ｂ２と、を有する。さらに、係止壁部５９ｂは、押壁部５９ｂ２の先端部から立壁部５９ｂ１と平行に前方に向って延びる案内壁部５９ｂ３と、を有する。ベース部５９ａから立壁部５９ｂ１を経て押壁部５９ｂ２までの前面部側には、補強のためのリブ５９ｂ４が４本互いに平行に立設されている。係止壁部５９ｂの立壁部５９ｂ１、押壁部５９ｂ２、案内壁部５９ｂ３は、ベースプレート５５の左係止部５５ｂの立壁部５５ｂ１、押壁部５５ｂ２、案内壁部５５ｂ３にそれぞれ対応するもので、その係止ワイヤ２４当接面の形状は同等に形成されている。ここで、立壁部５２ｂ２と係止壁部５９ｂが、特許請求の範囲の「係止部」に相当する。また、押壁部５９ｂ２と第２部分５２ｂ２１２から第３部分５２ｂ２１３に繋がる部分のそれぞれが、特許請求の範囲の「側壁部」に相当し、押壁部５９ｂ２と第２部分５２ｂ２１２から第３部分５２ｂ２１３に繋がる部分を合わせて、特許請求の範囲の「挟持壁」に相当する。さらに、第１部分５２ｂ２１１から第２部分５２ｂ２１２に繋がる部分が、特許請求の範囲の「底壁部」に相当する。
【００２７】
図１〜図１０を参照して、シートバック２０の組立て手順について説明する。本体部５１の係止孔５２ｂ３にベースプレート５５の上爪部５５ｄを係止するとともに、本体部５１の係止孔５２ｂ１にベースプレート５５の中爪部５５ａを係止する。また、本体部５１の右側の切り欠き５２ａ１に係止部材５９のベース部５９ａを嵌め込む。この状態で、本体部５１の開口５２ｃを覆うように蓋部材５８を被せ、ビス孔５８ａとビス孔５２ｂ４を一致させてビス固定するとともに、右側のビス孔５８ｂとビス孔５９ａ１を一致させてビス固定する。さらに、本体部５１のクリップ座５３ｃ１にクリップ６０を取付けた状態で本体部５１の上面に蓋部材６３を接着等で固定する。また、ピン係止部５３ａ２に位置決めピンＰを取付ける。ベースプレート５５と蓋部材５８及び係止部材５９を取付けた状態の基板５０をメインバックパッド４０の後面部４２の前面側に接着等で取付ける。このとき、メインバックパッド４０の貫通孔４５から基板５０のベースプレート５５が露出した状態になる。この状態のメインバックパッド４０にバックカバー２０Ｃを被せ付け端末部を処理するとともに貫通孔４５部分に孔をあける。次に、基板５０のベースプレート５５に対してベゼル５６を被せつけビス孔５５ｇとビス孔５６ｄを一致させてビスにより締結する。また、ビス孔５６ｃ１とビス孔５５ａ１とビス孔５２ｂ４とを一致させてビスにより締結する。これによって、貫通孔４５の周縁部はバックカバー２０Ｃの端末をベゼル５６が覆い隠した状態となる。並行して、バックフレーム２０Ｆにサイドバックパッド３０を取付け、その上からバックカバー２０Ｃを被せ付けて端末部を処理する。バックカバー２０Ｃの左右の端末部はカバー係止ワイヤ２５に係止される。
【００２８】
図７〜図９に示すように、バックフレーム２０Ｆの係止ワイヤ２４に対し、ベースプレート５５の左係止部５５ｂの案内壁部５５ｂ３と係止部材５９の案内壁部５９ｂ３とを当接させた状態でメインバックパッド４０を上方から押さえ込んでいく。このとき、位置決めピンＰを基板取付部材２２ａの位置決めピン孔２２ａ５に挿入して位置決めをしながら押さえ込んでいく。すると、係止ワイヤ２４に対して、左側の立壁部５２ｂ２の第３部分５２ｂ２１３から第２部分５２ｂ２１２とベースプレート５５の左係止部５５ｂの押壁部５５ｂ２との間が押し広げられながら嵌め込まれる。そして、係止ワイヤ２４が第２部分５２ｂ２１２から第１部分５２ｂ２１１に繋がる部分に当接した状態で嵌め込みが完了する。同時に、係止ワイヤ２４に対して、右側の立壁部５２ｂ２の第３部分５２ｂ２１３から第２部分５２ｂ２１２と係止部材５９の押壁部５９ｂ２との間が押し広げられながら嵌め込まれる。そして、係止ワイヤ２４が第２部分５２ｂ２１２から第１部分５２ｂ２１１に繋がる部分に当接した状態で嵌め込みが完了する。このとき、第３部分５２ｂ２１３と押壁部５５ｂ２との間の方が第２部分５２ｂ２１２と押壁部５５ｂ２との間より間隔が狭く、第３部分５２ｂ２１３と押壁部５９ｂ２との間の方が第２部分５２ｂ２１２と押壁部５９ｂ２との間より間隔が狭い。これによって、係止ワイヤ２４に対して基板５０を嵌め込むのに初期は摺動抵抗が高く嵌め込むにしたがって徐々に低くなる。そして、バックフレーム２０Ｆに対するメインバックパッド４０の取付が完了した状態で係止ワイヤ２４は立壁部５２ｂ２と押壁部５５ｂ２との間及び立壁部５２ｂ２と押壁部５９ｂ２との間で押圧され前後方向にがたつきを生じない。また、当該取付状態から係止ワイヤ２４に対しメインバックパッド４０が上方に、すなわち外れる方向に移動しようとすると係止ワイヤ２４に対する立壁部５２ｂ２と押壁部５５ｂ２との間及び立壁部５２ｂ２と押壁部５９ｂ２との間に生じる押圧力が高まるので摺動抵抗が高まり移動しにくくする。すなわち、上下方向のがたつきが抑制される。
【００２９】
図１及び図１０に示すように、サイドバックパッド３０が取付けられたバックフレーム２０Ｆの上からメインバックパッド４０が係止ワイヤ２４に対して取付けられた状態で基板５０に取付けられたクリップ６０の係止脚６２を基板取付部材２２ａのクリップ孔２２ａ３に嵌め込み固定する。この状態で、基板５０のボルト孔５３ａ１と基板取付部材２２ａのボルト孔２２ａ２とを一致させてボルト及びナットにより締結固定する。なお、ナットは基板取付部材２２ａ裏面のボルト孔２２ａ２周縁部に予め溶接されている。また、基板５０のボルト孔５２ｄ１と基板取付部材２２ａのボルト孔２２ａ４とを一致させてボルト及びナットにより締結固定する。なお、ナットは基板取付部材２２ａ裏面のボルト孔２２ａ４周縁部に予め溶接されている。この状態で、必要によりメインバックパッド４０の前面部４１の左右両側のバックカバー２０Ｃに設けられた布状の引き込み部材（図示せず）を後方に引き込んでバックフレーム２０Ｆに係止することによってより安定してメインバックパッド４０をバックフレーム２０Ｆに対して取付けられる。
【００３０】
以上のように構成される実施形態は、以下のような作用効果を奏する。メインバックパッド４０に設けられた立壁部５２ｂ２及び左係止部５５ｂを係止ワイヤ２４に係止したとき、押壁部５５ｂ２と第２部分５２ｂ２１２から第３部分５２ｂ２１３に繋がる部分は係止ワイヤ２４に対して押圧状態で当接する。同様に、メインバックパッド４０に設けられた立壁部５２ｂ２及び係止壁部５９ｂを係止ワイヤ２４に係止したとき、押壁部５９ｂ２と第２部分５２ｂ２１２から第３部分５２ｂ２１３に繋がる部分は係止ワイヤ２４に対して押圧状態で当接する。また、第３部分５２ｂ２１３は第２部分５２ｂ２１２より押壁部５５ｂ２に対して近接して形成されているので係止ワイヤ２４が第３部分５２ｂ２１３方向へ移動しようとすると押壁部５５ｂ２による押圧力が増加し、その結果係止ワイヤ２４に対して第３部分５２ｂ２１３方向へ移動しにくくなる。同様に、第３部分５２ｂ２１３は第２部分５２ｂ２１２より押壁部５９ｂ２に対して近接して形成されているので係止ワイヤ２４が第３部分５２ｂ２１３方向へ移動しようとすると押壁部５９ｂ２による押圧力が増加し、その結果係止ワイヤ２４に対してが第３部分５２ｂ２１３方向へ移動しにくくなる。これによって、立壁部５２ｂ２及び左係止部５５ｂと、立壁部５２ｂ２及び係止壁部５９ｂと、が係止ワイヤ２４に対して前後方向及び上下方向に移動するのが抑制され、メインバックパッド４０が係止ワイヤ２４に対してがたついて異音を発生するおそれが減少する。
【００３１】
また、ベースプレート５５の左係止部５５ｂは係止部材５９の係止壁部５９ｂに比べてレバー装置５７からの前方に向う力が印加されやすい。そこで、左係止部５５ｂを強度剛性の高い鉄製部材とすることで必要な強度剛性に応じた合理的な構造とすることができる。換言すれば、係止壁部５９ｂを必要以上に高強度高剛性にすることによる重量の増加等を回避できる。また、本体部５１の立壁部５２ｂ２とベースプレート５５との間で、押壁部５５ｂ２と第２部分５２ｂ２１２から第３部分５２ｂ２１３に繋がる部分間の間隔を第３部分５２ｂ２１３において狭くしているのでアンダーカット部分が形成される。しかし、押壁部５５ｂ２が本体部５１とは別部品とされているのでアンダーカット部分の形成が容易となる。本体部５１の立壁部５２ｂ２と係止部材５９との間においても同様の作用効果が得られる。
【００３２】
さらに、立壁部５２ｂ２はメインバックパッド４０の本体部５１に一体で形成されているので、ベースプレート５５及び係止部材５９を本体部５１に取付けるだけでよく、部品点数の増加を抑制できる。加えて、自動車用シート１のバックフレーム２０Ｆに外観構成部品であるメインバックパッド４０を簡潔な構造でがたによる異音の発生を抑制して取付けられる。
【００３３】
以上、特定の実施形態について説明したが、本発明は、それらの外観、構成に限定されず、本発明の要旨を変更しない範囲で種々の変更、追加、削除が可能である。例えば、次のようなものが挙げられる。
【００３４】
１．上記実施形態においては、係止ワイヤ２４に対してメインバックパッド４０に設けられた立壁部５２ｂ２及び左係止部５５ｂと、メインバックパッド４０に設けられた立壁部５２ｂ２及び係止壁部５９ｂと、を係止するように構成した。しかし、これに限らず、いずれか一方だけを係止するように構成してもよい。
【００３５】
２．上記実施形態においては、立壁部５２ｂ２は本体部５１に一体で形成され、左係止部５５ｂと係止壁部５９ｂは別部材に形成されるように構成した。しかし、これに限らず、立壁部５２ｂ２と左係止部５５ｂ又は立壁部５２ｂ２と係止壁部５９ｂを本体部５１に一体で形成してもよいし、本体部５１とは別部材に形成するようにしてもよい。
【００３６】
３．上記実施形態においては、本発明をメインバックパッド４０をバックフレーム２０Ｆを取付けるのに適用した。しかし、これに限らず、バックボードやシールド等他の自動車用シート１のシートフレームへの取付にも適用できる。
【００３７】
４．上記実施形態においては、本発明を自動車のシートに適用したが、飛行機、船、電車等に搭載のシートに適用しても良い。
【符号の説明】
【００３８】
１     自動車用シート（乗物用シート）
２０   シートバック
２０Ｆ バックフレーム（シートフレーム）
２４   係止ワイヤ（被係止部）
４０   メインバックパッド（部品、外観構成部品）
５０   基板
５１   本体部
５２ｂ２      立壁部（係止部）
５２ｂ２１    頂面部
５２ｂ２１１  部分（底壁部）
５２ｂ２１２  部分（側壁部）
５２ｂ２１３  部分（側壁部）
５５   ベースプレート
５５ｂ    左係止部（係止部）
５５ｂ２      押壁部（挟持壁、側壁部）
５９   係止部材
５９ｂ 係止壁部（係止部）
５９ｂ２      押壁部（挟持壁、側壁部）
【図１】
2018001819.tif 000003
【図２】
2018001819.tif 000004
【図３】
2018001819.tif 000005
【図４】
2018001819.tif 000006
【図５】
2018001819.tif 000007
【図６】
2018001819.tif 000008
【図７】
2018001819.tif 000009
【図８】
2018001819.tif 000010
【図９】
2018001819.tif 000011
【図１０】
2018001819.tif 000012